(57)【要約】【課題】操作性および安全性に優れたすべり出し窓の開閉具を提供することである。【解決手段】窓枠１の内周に取付けられる枠側ブラケット１１に操作レバー１８の一端部を揺動自在に支持し、その操作レバー１８の揺動中心となる支点ピン２０にリンク２１の一端部を固定する。上記支点ピン２０の一側方において枠側ブラケット１１にアーム２３の一端部を揺動自在に取付け、そのアーム２３の他端部に設けられたスライドピン２５を障子２の内面に取付けられた障子ブラケット１２の第１ガイド孔１７内にスライド自在に挿入する。アーム２３の長さ方向の中央部に形成された第２ガイド孔２６内にリンク２１の他端部に設けられたリンクピン２２をスライド自在に挿入し、前記操作レバー１８の揺動操作によって障子２を開閉させるようにする。【選択図】図７
2007170134.tif 000002
【特許請求の範囲】
【請求項１】
第１ピン孔および第２ピン孔を一側部に有し、その一側部が屋外側に位置するよう窓枠の内周に取り付けられる枠側プレートと、
前記窓側の開口部を開閉する障子の屋内側面に取付けられ、その障子の内面に平行する直線状の第１ガイド孔が形成された障子ブラケットと、
前記枠側プレートの第１ピン孔に挿入される支点ピンを一端部に有し、その支点ピンを中心として枠側プレートの一端上に重なる閉鎖位置と他端部上に重なる開放位置との間で揺動可能な操作レバーと、
前記操作レバーの支点ピンに一端部が固定され、操作レバーの閉鎖位置から開放位置への揺動により枠側プレートの下方位置から屋外側に向けて揺動して屋外側に長く延びる状態とされるリンクと、
前記枠側プレートの第２ピン孔に挿入されるアームピンを一端部に有し、他端部に設けられたスライドピンが前記障子ブラケットの第１ガイド孔内にスライド自在に挿入されたアームとから成り、
前記アームの長さ方向の中央部に、前記リンクの他端部に設けられたリンクピンがスライド自在に挿入される第２ガイド孔を形成し、前記操作レバーの揺動操作により第２ガイド孔に沿ってリンクピンを移動させてアームを揺動させるようにしたすべり出し窓の開閉具。
【請求項２】
前記第２ガイド孔が、操作レバーの閉鎖位置で前記第１ガイド孔に平行してその一端部に前記リンクピンが配置される直線孔部と、その直線孔部の一端から屋外側に向けて斜め方向に延びる第１傾斜孔部と、直線孔部の他端から屋外側に向けて斜め方向に延び、操作レバーの閉鎖位置で前記リンクの長さ方向に対し直交する状態とされる第２傾斜孔部とから成る請求項１に記載のすべり出し窓の開閉具。
【請求項３】
前記リンクピンに、操作レバーを閉鎖位置に向けて付勢すると共に、操作レバーの揺動途中からその操作レバーを開放位置に向けて付勢するコイルばねの弾性力を付与した請求項１又は２に記載のすべり出し窓の開閉具。
【発明の詳細な説明】
【技術分野】
【０００１】
この発明は、すべり出し窓の開閉具に関するものである。
【背景技術】
【０００２】
一般に、すべり出し窓には、障子の上框と下框のそれぞれをすべり出し用ステーで支持して、障子の一方の縦枠を左右方向にほぼ平行移動させると共に、その縦枠を中心にして障子を開閉させる縦すべり出し窓と、障子の両側の縦枠それぞれをすべり出し用ステーで支持し、障子の上框を上下方向にほぼ平行移動させると共に、その上框をほぼ中心にして障子を開閉させる横すべり出し窓とが存在する。
【０００３】
図１２乃至図１４は、縦すべり出し窓を示し、障子２の上框と下框のそれぞれを支持するすべり出し用ステーＡは、窓枠１の下枠や上枠に取り付けられる枠側プレート３０と、障子２の上框や下框に取り付けられる障子側プレート３１とを有し、その枠側プレート３０の一端部と障子側プレート３１の長さ方向中央部にアーム３２の両端部を連結し、上記障子側プレート３１の一端部にスライダ３３の一端部を連結し、そのスライダ３３の他端部に設けられた平面形状を菱形とする突出部３４を枠側プレート３０に設けられた直線状のガイドレール３５に沿って移動自在に支持し、障子側プレート３１を枠側プレート３０の長さ方向とほぼ平行する状態と交差する状態との間で開閉自在としている。
【０００４】
上記の縦すべり出し窓においては、普通、開閉具の操作によって障子２を開閉させることが行われている。
【０００５】
すべり出し窓の開閉具として、図１４に示したものが従来から知られている。この開閉具においては、窓の屋内側に取り付けられるギャケース４０によってハンドル軸４１を回転自在に支持し、そのハンドル軸４１にピニオン４２を設け、上記ギャケース４０内には上記ピニオン４２に噛合するセクタギャ４３を組み込んで回転自在に支持し、そのセクタギャ４３の外周に設けられたアーム４４の先端部と障子２に取り付けられる障子ブラケット４５とをリンク４６で連結して、前記ハンドル軸４１に設けられたハンドル４７の操作によって障子２を開閉させるようにしている。
【発明の開示】
【発明が解決しようとする課題】
【０００６】
ところで、図１４に示される従来の開閉具においては、障子２の開閉に際して、ハンドル４７を数回転させる必要があるため、非常に手間がかかり、また、ハンドル４７が屋内に突出する状態にあるため、障害物となり、衝突によって怪我をしたり、衣服を引っ掛けたりすることが多くあり、安全性に問題がある。
この発明の課題は、操作性および安全性に優れたすべり出し窓の開閉具を提供することである。
【課題を解決するための手段】
【０００７】
上記の課題を解決するために、この発明においては  第１ピン孔および第２ピン孔を一側部に有し、その一側部が屋外側に位置するよう窓枠の内周に取り付けられる枠側プレートと、前記窓側の開口部を開閉する障子の屋内側面に取付けられ、その障子の内面に平行する直線状の第１ガイド孔が形成された障子ブラケットと、前記枠側プレートの第１ピン孔に挿入される支点ピンを一端部に有し、その支点ピンを中心として枠側プレートの一端上に重なる閉鎖位置と他端部上に重なる開放位置との間で揺動可能な操作レバーと、前記操作レバーの支点ピンに一端部が固定され、操作レバーの閉鎖位置から開放位置への揺動により枠側プレートの下方位置から屋外側に向けて揺動して屋外側に長く延びる状態とされるリンクと、前記枠側プレートの第２ピン孔に挿入されるアームピンを一端部に有し、他端部に設けられたスライドピンが前記障子ブラケットの第１ガイド孔内にスライド自在に挿入されたアームとから成り、前記アームの長さ方向の中央部に、前記リンクの他端部に設けられたリンクピンがスライド自在に挿入される第２ガイド孔を形成し、前記操作レバーの揺動操作により第２ガイド孔に沿ってリンクピンを移動させてアームを揺動させるようにした構成を採用したのである。
【０００８】
上記の構成から成るすべり出し窓の開閉具は、枠側プレートを窓枠の内周に取り付け、障子ブラケットを障子に取り付ける。そのような組み付け状態において、操作レバーを閉鎖位置から開放位置に向けて揺動させると、その操作レバーと共にリンクが揺動し、リンクピンが第２ガイド孔に沿って移動しつつアームを押圧する。その押圧によってアームが屋外に向けて揺動し、スライドピンが第１ガイド孔に沿って移動しつつ障子ブラケットを屋外に向けて押圧し、障子が開放する。
【０００９】
一方、操作レバーを開放位置から閉鎖位置に向けて揺動させると、その操作レバーと共に揺動するリンクのリンクピンが第２ガイド孔に沿って移動しつつアームを屋内側に向けて引き込む。その引き込みによってアームが屋内側に揺動し、スライドピンが第１ガイド孔に沿って移動して、障子ブラケットを屋内側に向けて引き、障子が閉鎖する。
【００１０】
ここで、前記第２ガイド孔として、操作レバーの閉鎖位置で前記第１ガイド孔に平行してその一端部に前記リンクピンが配置される直線孔部と、その直線孔部の一端から屋外側に向けて斜め方向に延びる第１傾斜孔部と、直線孔部の他端から屋外側に向けて斜め方向に延び、操作レバーの閉鎖位置で前記リンクの長さ方向に対し直交する状態とされる第２傾斜孔部とから成るものを採用すると、障子を開放状態および閉鎖状態にそれぞれ保持することができる。
【００１１】
このため、開放状態とされた障子が強風によって衝撃的に閉鎖するという不都合の発生はなく、また、障子を閉鎖状態に保持する施錠金具の取付けを不要とすることができる。
【００１２】
また、操作レバーを閉鎖位置に向けて付勢すると共に、操作レバーの揺動途中からその操作レバーを開放位置に向けて付勢するコイルばねの弾性力をリンクピンに負荷することによって、操作レバーを閉鎖位置および開放位置にスムーズに変移させることができ、操作性をさらに高めることができる。
【発明の効果】
【００１３】
上記のように、この発明に係る開閉具においては、操作レバーを揺動させることによって障子を開閉することができるため、ハンドルの回転操作によって障子を開閉させる従来の開閉具に比較して、障子をスムーズに開閉させることができる。
【００１４】
また、障子の閉鎖状態および開放状態で操作レバーは枠側プレート上に重なる状態に保持されるため、上記操作レバーは障害物となることはなく、安全性に優れた開閉具を得ることができる。
【発明を実施するための最良の形態】
【００１５】
以下、この発明に係るすべり出し窓用の開閉具を図１乃至図１１に基づいて説明する。図１は、縦すべり出し窓を示す。この縦すべり出し窓は、窓枠１と、障子２とから成り、上記窓枠１は、図２に示すように、小径開口部３と、その小径開口部３の屋内側に設けられた大径開口部４とを備え、その大径開口部４が障子３によって開閉されるようになっている。
【００１６】
障子２は、すべり出し用ステーＡによって開閉自在に支持されている。このすべり出し用ステーＡは、図１４において述べたものと同じであるため、同一の部品には同一符号を付して説明を省略する。
【００１７】
図１に示すように、上記障子２は、その下框２ａと窓枠１の下枠１ａ間に組み込まれた開閉具１０によって開閉される。
【００１８】
図３乃至図８に示すように、開閉具１０は、窓枠１の小径開口部３の下面に取り付けられる枠側プレート１１と、障子２の下框２ａの屋内面に取り付けられる障子ブラケット１２とを有している。
【００１９】
枠側プレート１１は左右方向に細長く、その上側には屋内側において開口するレバー収容凹部１３が形成されている。また、枠側プレート１１の下側には屋外側において開口するアーム収容凹部１４が設けられている。さらに、枠側プレート１１の屋内側の側部には第１ピン孔１５と第２ピン孔１６とが枠側プレート１１の長さ方向に間隔をおいて形成されている。
【００２０】
障子ブラケット１２は、障子２の下框２ａにねじ止めされる取付け板１２ａの上縁にアーム連結板１２ｂを設けた側面Ｌ形をなし、そのアーム連結板１２ｂには障子２の内面に平行する直線状の第１ガイド孔１７が形成されている。
【００２１】
枠側プレート１１のレバー収容凹部１３内には操作レバー１８が設けられている。操作レバー１８の一端部はレバー収容凹部１３の正面壁１３ａに形成された左右方向に細長い長孔１９内に挿入されてレバー収容凹部１３の外部に臨み、その一端部に設けられた支点ピン２０が枠側プレート１１に設けられた上記第１ピン孔１５内に挿入されて回転自在に支持されている。
【００２２】
操作レバー１８は支点ピン２０を中心にして揺動自在とされ、上記長孔１９の両端に当接する範囲において揺動し得るようになっており、その長孔１９の一端に当接する状態が閉鎖位置とされ、その閉鎖位置において、操作レバー１８は枠側プレート１１の一端部上に重なり合い、他端部の全体がレバー収容凹部１３内に配置されるようになっている。
【００２３】
また、操作レバー１８は長孔１９の他端に当接する状態が開放位置とされ、その開放位置において、操作レバー１８は枠側プレート１１の他端部上に重なり合い、他端部の全体がレバー収容凹部１３内に配置されるようになっている。
【００２４】
支点ピン２０にはリンク２１の一端部が固定されている。リンク２１は操作レバー１８が閉鎖位置に配置される状態でその他端が枠側プレート１１の下方に臨み、また、操作レバー１８が開放位置に配置される状態で屋外方向に長く延びるよう操作レバー１８に対する取付け角度が規制されている。このリンク２１の他端部にはリンクピン２２が設けられている。
【００２５】
枠側プレート１１と障子ブラケット１２間にはアーム２３が設けられている。アーム２３の一端部にはアームピン２４が設けられ、そのアームピン２４は枠側プレート１１に形成された上記第２ピン孔１６内に挿入されて回転自在に支持されている。
【００２６】
また、アーム２３の他端部にはスライドピン２５が設けられ、そのスライドピン２５は障子ブラケット１２の第１ガイド孔１７内にスライド自在に挿入されている。
【００２７】
アーム２３の長さ方向の中央部にはリンク２１の他端部のリンクピン２２がスライド自在に挿入される第２ガイド孔２６が形成されている。第２ガイド孔２６は、障子２の閉鎖状態において障子ブラケット１２の第１ガイド孔１７に平行する直線孔部２６ａと、その直線孔部２６ａの一端から屋外方向に向けて斜め方向に延びる第１傾斜孔部２６ｂと、直線孔部２６ａの他端から屋外方向に向けて斜め方向に延びる第２傾斜孔部２６ｃとから成り、上記第１傾斜孔部２６ｂと第２傾斜孔部２６ｃとは傾斜方向が異なって対向間隔が端に至るに従って次第に広くなっている。
【００２８】
上記第２ガイド孔２６は、操作レバー１８が閉鎖位置に保持される状態でリンクピン２２が直線孔部２６ａの一端部に臨み、また、操作レバー１８が開放位置に保持される状態でリンクピン２２が第２傾斜孔部２６ｃに配置されるような関係位置に設けられている。
【００２９】
また、第１傾斜孔部２６ｂは、操作レバー１８が閉鎖位置に保持される状態で支点ピン２０を中心としてリンクピン２２の中心を通る仮想円の接線に対して外側に傾斜している。
【００３０】
さらに、第２傾斜孔部２６ｃは、操作レバー１８が開放位置に保持される状態でその長さ方向が屋外側に長く延びるリンク２１と直交するよう直線孔部２６ａに対する傾斜角度が規制されている。
【００３１】
図４に示すように、枠側プレート１１の下面の一端部には係合片２７が形成され、その係合片２７とリンクピン２２間にコイルばね２８がかけ渡されている。コイルがね２８は係合片２７と支点ピン２０の中心を結ぶ直線をデッドポイントとして操作レバー１８を付勢する方向が切換わり、上記操作レバー１８を閉鎖位置又は開放位置に向けて付勢するようになっている。
【００３２】
実施の形態で示す縦すべり出し窓は上記の構造からなり、図３は、障子２が閉鎖位置にある状態を示す。その閉鎖状態において、開閉具１０の操作レバー１８を開放位置に向けて揺動させると、その操作レバー１８と共にリンク２１が屋外方向に揺動し、リンクピン２２が第２ガイド孔２６の第１傾斜孔部２６ｂに沿って移動して、その第１傾斜孔部２６ｂの一側縁を押圧する。
【００３３】
その押圧によってアーム２３がアームピン２４を中心にして屋外方向に揺動する。このとき、スライドピン２５が障子ブラケット１２の第１ガイド孔１７に沿って移動して障子ブラケット１２を屋外に向けて押圧し、障子２が開放し始める。
【００３４】
図７は操作レバー１８を閉鎖位置と開放位置の中間位置まで開放させた状態を示し、その状態から操作レバー１８を開放位置に向けてさらに揺動させると、アーム２３の揺動中心とリンクピン２２の揺動中心の相違からリンクピン２２は第１傾斜孔部２６ｂから直線孔部２６ａに沿って移動する。その移動時においてもリンクピン２２は第２ガイド孔２６の側縁を押圧するため、アーム２３は屋外に向けて揺動を続け、障子２の開き角度が大きくなる。
【００３５】
操作レバー１８を開放位置まで揺動させると、図８に示すように、リンクピン２２が第２傾斜孔部２６ｃに嵌り込み、障子２は最も開いた状態とされる。このとき、リンク２１は屋外方向に向けて長く延び、そのリンク２１に対して第２傾斜孔部２６ｃが直交する方向に向く関係となるため、障子２に閉じる方向の外力が負荷されても障子２は閉まらず、開放状態を維持する。このため、強風等によって障子２が衝撃的に閉鎖するという不都合の発生はない。
【００３６】
図８に示す障子２の開放状態から操作レバー１８を閉鎖方向に向けて揺動させると、リンクピン２２は第２ガイド孔２６の第２傾斜孔部２６ｃから直線孔部２６ａに沿って移動しつつアーム２３に屋内に向けての引張り力を負荷し、その引張り力によってアーム２３が屋内に向けて揺動する。
【００３７】
操作レバー１８が図３に示す閉鎖位置まで揺動されると、障子２は閉鎖状態となる。このとき、リンクピン２２は直線孔部２６ａの一端部に配置されるため、屋外側から障子２に開く方向の引張り力が負荷されても、リンク２１はアーム２３が屋外に向く方向の揺動を阻害するように作用することになり、障子２は開放することはない。
【００３８】
このように、操作レバー１８を閉鎖位置に戻すことにより、障子２は外部から開放されることのない閉鎖状態に保持されるため、別途、施錠金具を取付ける必要がなく、コストの低減を図ることができる。
【００３９】
また、操作レバー１８を揺動させることによって障子２を開閉させることができるため、ハンドルの回転操作によって障子を開閉させる開閉具に比較して、操作性にすぐれ、障子２をスムーズに開閉させることができる。
【００４０】
図１では、障子２の下方に開閉具１０を取付けるようにしたが、縦すべり出し窓の場合は、図１０に示すように、障子２の開閉端における縦桟２ｂの側方に設けるようにしてもよい。
【００４１】
なお、図１１に示すように、障子２の上框２ｃをほぼ中心として下框２ａが屋内外方向に揺動する横すべり出し窓においては、下框２ａの下方に開閉具１０を取付けるようにする。
【図面の簡単な説明】
【００４２】
【図１】この発明に係る開閉具を取付けた縦すべり出し窓の正面図
【図２】図１のＡ−Ａ線に沿った断面図
【図３】図２に示す開閉具の平面図
【図４】図３のＢ−Ｂ線に沿った断面図
【図５】図３のＣ−Ｃ線に沿った断面図
【図６】開閉具を示す斜視図
【図７】操作レバーを閉鎖位置と開放位置の中間位置まで揺動させた状態の平面図
【図８】操作レバーを開放位置まで揺動させた状態の平面図
【図９】障子の開放状態を示す横断平面図
【図１０】縦すべり出し窓の他の例を示す正面図
【図１１】横すべり出し窓を示す正面図
【図１２】従来の開閉具が取付けられた縦すべり出し窓の横断平面図
【図１３】図１２の縦断正面図
【図１４】図１２に示す縦すべり出し窓の開放状態を示す横断平面図
【符号の説明】
【００４３】
１    窓枠
２    障子
３    小径開口部
４    大径開口部
１１  枠側プレート
１２  障子ブラケット
１５  第１ピン孔
１６  第２ピン孔
１７  第１ガイド孔
１８  操作レバー
２０  支点ピン
２１  リンク
２２  リンクピン
２３  アーム
２４  アームピン
２５  スライドピン
２６  第２ガイド孔
２６ａ  直線孔部
２６ｂ  第１傾斜孔部
２６ｃ  第２傾斜孔部
【図１】
2007170134.tif 000003
【図２】
2007170134.tif 000004
【図３】
2007170134.tif 000005
【図４】
2007170134.tif 000006
【図５】
2007170134.tif 000007
【図６】
2007170134.tif 000008
【図７】
2007170134.tif 000009
【図８】
2007170134.tif 000010
【図９】
2007170134.tif 000011
【図１０】
2007170134.tif 000012
【図１１】
2007170134.tif 000013
【図１２】
2007170134.tif 000014
【図１３】
2007170134.tif 000015
【図１４】
2007170134.tif 000016